【手続補正書】
【提出日】平成26年9月8日(2014.9.8)
【手続補正１】
【補正対象書類名】明細書
【補正対象項目名】発明の名称
【補正方法】変更
【補正の内容】
【発明の名称】画像形成装置及び制御装置、並びにそれらの制御方法及び記録媒体
【手続補正２】
【補正対象書類名】明細書
【補正対象項目名】０００１
【補正方法】変更
【補正の内容】
【０００１】
本発明は、画像形成装置及び制御装置、並びにそれらの制御方法及び記録媒体に関し、特に、記録媒体に画像を形成した場合と同じ大きさで画像を表示する実サイズプレビューが可能な画像形成装置及び制御装置、並びにそれらの制御方法及び記録媒体に関する。
【手続補正３】
【補正対象書類名】明細書
【補正対象項目名】０００９
【補正方法】変更
【補正の内容】
【０００９】
本発明の目的は、実際に用紙上に印刷した場合の画像の大きさをユーザが確認しながら、記録媒体のサイズ設定や集約設定を行うことが可能な画像形成装置及び制御装置、並びにそれらの制御方法及び記録媒体を提供することにある。
【手続補正４】
【補正対象書類名】明細書
【補正対象項目名】００１０
【補正方法】変更
【補正の内容】
【００１０】
上記目的を達成するために、請求項１の画像形成装置は、記録媒体に画像を形成する形成手段と、情報を表示する表示手段と、画像を形成する記録媒体のサイズを設定する第１の設定手段と、複数ページの画像を集約して１ページの記録媒体に形成する集約印刷を設定する第２の設定手段と、前記第１の設定手段によって前記記録媒体のサイズを設定する際に、前記画像形成装置において形成可能なサイズごとに、前記記録媒体に画像を形成した場合と同じ大きさで前記表示手段に画像を表示させる第１実サイズプレビュー手段と、前記第２の設定手段によって集約印刷を設定する際に、前記画像形成装置において集約印刷に設定可能なページ数ごとに、前記記録媒体に画像を形成した場合と同じ大きさで前記表示手段に画像を表示させる第２実サイズプレビュー手段とを備えることを特徴とする。
また、上記目的を達成するために、請求項８の画像形成装置は、記録媒体に画像を形成する形成手段と、情報を表示する表示手段と、前記画像を形成する記録媒体のサイズを設定する第１の設定手段と、前記第１の設定ユニットによって前記記録媒体のサイズを設定する際に、前記画像形成装置において形成可能なサイズごとに、前記記録媒体に画像を形成した場合と同じ大きさで前記表示手段に画像を表示させる実サイズプレビュー手段とを備えることを特徴とする。
【手続補正５】
【補正対象書類名】特許請求の範囲
【補正対象項目名】全文
【補正方法】変更
【補正の内容】
【特許請求の範囲】
【請求項１】
画像形成装置であって、
記録媒体に画像を形成する形成手段と、
情報を表示する表示手段と、
画像を形成する記録媒体のサイズを設定する第１の設定手段と、
複数ページの画像を集約して１ページの記録媒体に形成する集約印刷を設定する第２の設定手段と、
前記第１の設定手段によって前記記録媒体のサイズを設定する際に、前記画像形成装置において形成可能なサイズごとに、前記記録媒体に画像を形成した場合と同じ大きさで前記表示手段に画像を表示させる第１実サイズプレビュー手段と、
前記第２の設定手段によって集約印刷を設定する際に、前記画像形成装置において集約印刷に設定可能なページ数ごとに、前記記録媒体に画像を形成した場合と同じ大きさで前記表示手段に画像を表示させる第２実サイズプレビュー手段と
を備えることを特徴とする画像形成装置。
【請求項２】
前記第１実サイズプレビュー手段は、前記第２の設定手段によって設定された集約印刷の設定に従って前記表示手段に画像を表示させ、
前記第２実サイズプレビュー手段は、前記第１の設定手段によって設定された記録媒体のサイズに従って前記表示手段に画像を表示させることを特徴とする請求項１記載の画像形成装置。
【請求項３】
前記画像形成装置が画像を形成可能な記録媒体のサイズが、記録媒体が存在しないため画像を形成できない種類の記録媒体のサイズを含む場合は、前記画像を形成できない種類の記録媒体のサイズが存在することを示す情報を前記表示手段に表示するか、前記第１実サイズプレビュー手段、及び第２実サイズプレビュー手段において、画像を形成できない種類の記録媒体のサイズに対応する実サイズプレビュー画像をグレイアウトさせて表示するか、又は前記実サイズプレビュー画像を表示しないことを特徴とする請求項１又は２記載の画像形成装置。
【請求項４】
前記第１実サイズプレビュー手段、及び第２実サイズプレビュー手段において、ポスター印刷の可能な設定に応じて実サイズプレビュー画像をさらに表示することを特徴とする請求項１〜３のいずれか１項に記載の画像形成装置。
【請求項５】
前記第１実サイズプレビュー手段、及び第２実サイズプレビュー手段において、前記表示手段の表示サイズに応じて、表示する前記実サイズプレビュー画像の数を変更することを特徴とする請求項１〜４のいずれか１項に記載の画像形成装置。
【請求項６】
前記表示ユニットの表示サイズに応じて、前記実サイズプレビュー画像の表示を、文字リスト表示に変更する表示形式変更ユニットをさらに備えることを特徴とする請求項１〜５のいずれか１項に記載の画像形成装置。
【請求項７】
前記第１実サイズプレビュー手段、及び第２実サイズプレビュー手段において、予め指定された画像の位置が表示されるように、又は前記画像に含まれる文字のうち最小文字が表示されるように前記実サイズプレビューで表示することを特徴とする請求項１〜６のいずれか１項に記載の画像形成装置。
【請求項８】
画像形成装置であって、
記録媒体に画像を形成する形成手段と、
情報を表示する表示手段と、
前記画像を形成する記録媒体のサイズを設定する第１の設定手段と、
前記第１の設定ユニットによって前記記録媒体のサイズを設定する際に、前記画像形成装置において形成可能なサイズごとに、前記記録媒体に画像を形成した場合と同じ大きさで前記表示手段に画像を表示させる実サイズプレビュー手段とを備えることを特徴とする画像形成装置。
【請求項９】
複数ページの画像を集約して１ページの記録媒体に形成する集約印刷を設定する第２の設定手段をさらに備え、
前記実サイズプレビュー手段は、前記第２の設定手段によって設定された集約印刷の設定に従って前記表示手段に画像を表示させることを特徴とする請求項８記載の画像形成装置。
【請求項１０】
用紙上に画像を印刷させる印刷制御手段と、
情報を表示する表示手段と、
印刷に用いる用紙の用紙サイズを設定する第１の設定手段と、
複数ページの画像を集約して１ページの用紙に印刷する集約印刷を設定する第２の設定手段と、
前記第１の設定手段によって用紙サイズを設定する際に、画像形成装置において使用可能な用紙サイズごとに、前記用紙上に画像を印刷した場合と同じ大きさで前記表示手段に画像を表示させる第１実サイズプレビュー手段と、
前記第２の設定手段によって集約印刷を設定する際に、前記画像形成装置において集約印刷に設定可能なページ数ごとに、前記用紙上に画像を印刷した場合と同じ大きさで前記表示手段に画像を表示させる第２実サイズプレビュー手段とを備えることを特徴とする制御装置。
【請求項１１】
用紙上に画像を印刷させる印刷制御手段と、
情報を表示する表示手段と、
前記印刷に用いる用紙の用紙サイズを設定する第１の設定手段と、
前記第１の設定手段によって用紙サイズを設定する際に、画像形成装置において使用可能な用紙サイズごとに、前記用紙上に画像を印刷した場合と同じ大きさで前記表示手段に画像を表示させる実サイズプレビュー手段と
を備えることを特徴とする制御装置。
【請求項１２】
記録媒体に画像を形成する形成手段と情報を表示する表示手段とを備える画像形成装置の制御方法であって、
画像を形成する記録媒体のサイズを設定し、
複数ページの画像を集約して１ページの記録媒体に形成する集約印刷を設定し、
前記記録媒体のサイズを設定する際に、前記画像形成装置において形成可能なサイズごとに、前記記録媒体に画像を形成した場合と同じ大きさで前記表示手段に前記画像を表示させ、
前記集約印刷を設定する際に、前記画像形成装置において集約印刷に設定可能なページ数ごとに、前記記録媒体に画像を形成した場合と同じ大きさで前記表示手段に前記画像を表示させる
ことを特徴とする画像形成装置の制御方法。
【請求項１３】
記録媒体に画像を形成する形成手段と情報を表示する表示手段とを備えた画像形成装置の制御方法であって、
前記画像を形成する記録媒体のサイズを設定し、
前記記録媒体のサイズを設定する際に、画像形成装置において形成可能なサイズごとに、前記記録媒体に画像を形成した場合と同じ大きさで前記表示手段に画像を表示させる
ことを特徴とする画像形成装置の制御方法。
【請求項１４】
用紙上に画像を印刷させる印刷制御ユニットと情報を表示する表示ユニットとを備えた制御装置の制御方法であって、
印刷に用いる用紙の用紙サイズを設定し、
複数ページの画像を集約して１ページの用紙に印刷する集約印刷を設定し、
前記用紙サイズを設定する際に、画像形成装置において使用可能な用紙サイズごとに、前記用紙上に画像を印刷した場合と同じ大きさで前記表示手段に画像を表示させ、
前記集約印刷を設定する際に、前記画像形成装置において集約印刷に設定可能なページ数ごとに、前記用紙上に画像を印刷した場合と同じ大きさで前記表示手段に画像を表示させる
ことを特徴とする制御装置の制御方法。
【請求項１５】
用紙上に画像を印刷させる印刷制御手段と情報を表示する表示手段とを備えた制御装置の制御方法であって、
前記印刷に用いる用紙の用紙サイズを設定し、
前記用紙サイズを設定する際に、画像形成装置において使用可能な用紙サイズごとに、前記用紙上に画像を印刷した場合と同じ大きさで前記表示手段に画像を表示させる
ことを特徴とする制御装置の制御方法。
【請求項１６】
記録媒体に画像を形成する形成手段と情報を表示する表示手段とを備えた画像形成装置の制御方法をコンピュータに実行させるためのコンピュータ実行可能な制御プログラムを記憶したコンピュータ読み取り可能な記憶媒体であって、
前記画像形成装置の制御方法は、
前記画像を形成する記録媒体のサイズを設定し、
複数ページの画像を集約して１ページの記録媒体に形成する集約印刷を設定し、
前記記録媒体のサイズを設定する際に、前記画像形成装置において形成可能なサイズごとに、前記記録媒体に画像を形成した場合と同じ大きさで前記表示手段に前記画像を表示させ、
前記集約印刷を設定する際に、前記画像形成装置において集約印刷に設定可能なページ数ごとに、前記記録媒体に画像を形成した場合と同じ大きさで前記表示手段に前記画像を表示させる
ことを特徴とする記憶媒体。
【請求項１７】
記録媒体に画像を形成する形成手段と情報を表示する表示手段とを備えた画像形成装置の制御方法をコンピュータに実行させるためのコンピュータ実行可能な制御プログラムを記憶したコンピュータ読み取り可能な記憶媒体であって、
前記画像形成装置の制御方法は、
前記画像を形成する記録媒体のサイズを設定し、
前記記録媒体のサイズを設定する際に、前記画像形成装置において形成可能なサイズごとに、前記記録媒体に画像を形成した場合と同じ大きさで前記表示手段に画像を表示させる
ことを特徴とする性記憶媒体。
【請求項１８】
用紙上に画像を印刷させる印刷制御手段と情報を表示する表示手段とを備えた制御装置の制御方法をコンピュータに実行させるためのコンピュータ実行可能な制御プログラムを記憶したコンピュータ読み取り可能な記憶媒体であって、
前記制御方法は、
印刷に用いる用紙の用紙サイズを設定し、
複数ページの画像を集約して１ページの用紙に印刷する集約印刷を設定し、
前記用紙サイズを設定する際に、画像形成装置において使用可能な用紙サイズごとに、前記用紙上に画像を印刷した場合と同じ大きさで前記表示手段に画像を表示させ、
前記集約印刷を設定する際に、前記画像形成装置において集約印刷に設定可能なページ数ごとに、前記用紙上に画像を印刷した場合と同じ大きさで前記表示手段に画像を表示させる
ことを特徴とする記憶媒体。
【請求項１９】
用紙上に画像を印刷させる印刷制御手段と情報を表示する表示手段とを備えた制御装置の制御方法をコンピュータに実行させるためのコンピュータ実行可能な制御プログラムを記憶したコンピュータ読み取り可能な記憶媒体であって、
前記制御方法は、
前記印刷に用いる用紙の用紙サイズを設定し、
前記第１の設定手段によって用紙サイズを設定する際に、画像形成装置において使用可能な用紙サイズごとに、前記用紙上に画像を印刷した場合と同じ大きさで前記表示手段に画像を表示させる
ことを特徴とする記憶媒体。